(57)【特許請求の範囲】
【請求項１】
２枚のフィルムとその間に収容された粘着性を有する合成樹脂の成形品とから構成され、使用時に該２枚のフィルムが剥がされる合成樹脂成形品のパッケージの製造方法であって、
該２枚のフィルムを金型にインサートし、
該２枚のフィルムのいずれか１枚に設けられた孔から該２枚のフィルム間に合成樹脂を射出して、その射出圧にて該２枚のフィルムの少なくとも一方を膨れさせることにより、
キャビティ形状に倣った合成樹脂の成形品を該２枚のフィルム間に収容する
ことを特徴とする合成樹脂成形品のパッケージ製造方法。
【請求項２】
前記孔に挿入される射出ゲートのキャビティ面からの突出高さは、前記孔が設けられている前記フィルムの厚み以上である
ことを特徴とする請求項１記載の合成樹脂成形品のパッケージ製造方法。
【請求項３】
前記孔に挿入された射出ゲートの先端で相手方のフィルムを突いて両フィルム間に隙間を形成した後に、前記射出ゲートから前記合成樹脂を射出する
ことを特徴とする請求項２記載の合成樹脂成形品のパッケージ製造方法。
【請求項４】
前記２枚のフィルムのいずれか１枚は、前記合成樹脂との接触面にフッ素樹脂コーティングされている
ことを特徴とする請求項１、２又は３記載の合成樹脂成形品のパッケージ製造方法。
【請求項５】
前記合成樹脂の射出に伴ってキャビティを減圧する
ことを特徴とする請求項１〜４のいずれか記載の合成樹脂成形品のパッケージ製造方法。
【発明の詳細な説明】
【技術分野】
【０００１】
本発明は、合成樹脂成形品のパッケージの技術分野に属する。
【背景技術】
【０００２】
地震による揺れや衝撃によって家具等が転倒するのを防止するために、家具等と床や台との間に介装される粘着シートがある。この種の粘着シートの多くは、多数の高分子が互いに部分的につながってできた三次元網目状構造を持つゲルが用いられている。
【０００３】
このゲル製の粘着シートは、粘着性が強いためにキャビティ面に粘着してしまうので射出成形するのは困難であった。
このため、出願人においては、家具等の下に設置するのに適したサイズのものは、大判のシートを打ち抜いて製造し、これを手作業ではぎ取って、梱包用のフィルム上に載せ置いていた。
【発明の開示】
【発明が解決しようとする課題】
【０００４】
上記の手順であると、主として粘着性が原因となって作業効率の向上が難しかった。
【課題を解決するための手段】
【０００５】
請求項１記載の合成樹脂成形品のパッケージ製造方法は、２枚のフィルムとその間に収容された粘着性を有する合成樹脂の成形品とから構成され、使用時に該２枚のフィルムが剥がされる合成樹脂成形品のパッケージの製造方法であって、２枚のフィルムを金型にインサートし、該２枚のフィルムのいずれか１枚に設けられた孔から該２枚のフィルム間に合成樹脂を射出して、その射出圧にて該２枚のフィルムの少なくとも一方を膨れさせることにより、キャビティ形状に倣った合成樹脂の成形品を該２枚のフィルム間に収容するので、製品の成形と梱包を同一の工程で行うことができ、例えば大判のシートを打ち抜き、手作業ではぎ取り、梱包用のフィルム上に載せ置くといった作業は不要になる。これにより作業効率が向上できる。
【０００６】
請求項５記載のように、前記合成樹脂の射出に伴ってキャビティを減圧すると、射出圧によるフィルムの膨れ変形がより速やかになるので、両フィルム間すなわちキャビティ内への合成樹脂の充填が良好になる。
【０００７】
この合成樹脂成形品のパッケージ製造方法は、前述したゲルの成形、梱包に適しているが、ゲルでなくても粘着性を有する合成樹脂に適用できる。
包装材となるフィルムは、ポリエチレンテレフタレート（ＰＥＴ）、ポリプロピレン（ＰＰ）、ポリエチレン（ＰＥ）等が適しているが、これに限定されるわけではない。
【０００８】
２枚のフィルムは、同材質であってもよいし、異なる材質であってもよい。
また、各フィルムは、単層フィルムでもよいし、ラミネートフィルムでもよい。
２枚のフィルムのいずれか１枚に設けられた孔から２枚のフィルム間に合成樹脂を射出するので、射出ゲートは、孔に挿入できるように、キャビティ面から突出しているのが望ましい。その場合、請求項２記載のように、前記孔に挿入される射出ゲートのキャビティ面からの突出高さは、前記孔が設けられている前記フィルムの厚み以上であるのが好ましい。
【０００９】
特に、射出ゲートのキャビティ面からの突出高さが、孔が設けられているフィルムの厚みを上回ると、請求項３記載のように、前記孔に挿入された射出ゲートの先端で相手方のフィルムを突いて両フィルム間に隙間を形成した後に、前記射出ゲートから前記合成樹脂を射出することができる。このように、射出ゲートを孔に挿入したときに射出ゲートの先端で相手方のフィルムを突いて予め両フィルム間に隙間を作るので、その後に射出ゲートから射出された合成樹脂が、この隙間を押し広げるようにして樹脂流れするから、確実に両フィルム間に合成樹脂が充填される。
【００１０】
合成樹脂の成形品を互いの間に収容した２枚のフィルムは、成形品に粘着することで分離を防止されるが、溶着や凹凸の嵌合で相互に連結されてもよい。
合成樹脂の成形品は、通常はパッケージから取り出して使用されるが、請求項４記載のように、前記２枚のフィルムのいずれか１枚は、前記合成樹脂との接触面にフッ素樹脂コーティングされていると、フッ素樹脂コーティングの面で剥離しやすく、成形品をパッケージから取り出しやすい。
【発明を実施するための最良の形態】
【００１３】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例１］
図１に示すように、本実施例で使用した金型１の可動型２には、凹室３が設けられている。一方、固定型４には、凹室３のほぼ中心になる位置に射出ゲート５が突出形成されている。射出ゲート５の内孔６には、図示しない射出装置から合成樹脂（本実施例では上述のゲル）が溶融状態で供給される。
【００１４】
この金型１を型締めすると凹室３と固定型４のキャビティ面７とによってキャビティ８が形成される。
但し、本実施例では、有孔フィルム１１と無孔フィルム１２とを２枚重ねでインサートしてから型締めする。
【００１５】
有孔フィルム１１及び無孔フィルム１２は、ポリエチレンテレフタレート（ＰＥＴ）、ポリプロピレン（ＰＰ）又はポリエチレン（ＰＥ）製の単層フィルムである。また、有孔フィルム１１の内面（無孔フィルム１２側の面）には、フッ素樹脂コーティングが施されている。
【００１６】
有孔フィルム１１には、射出ゲート５（突出部分）の外径をわずかに上回る径のゲート挿入孔１３が設けられており、これを射出ゲート５（突出部分）に嵌合させるようにして、有孔フィルム１１及び無孔フィルム１２がインサートされる。
【００１７】
射出ゲート５のキャビティ面７からの突出高さが有孔フィルム１１厚みを上回っているので、型締めに伴って有孔フィルム１１がキャビティ面７に押しつけられると、射出ゲート５の先端が無孔フィルム１２を突く形になり、ゲート挿入孔１３の周囲では有孔フィルム１１と無孔フィルム１２の間に隙間Ｓができる。
【００１８】
このように有孔フィルム１１と無孔フィルム１２とを２枚重ねでインサートしてから金型１を型締めした後に、射出ゲート５から合成樹脂を射出する。
射出ゲート５から射出された合成樹脂は、射出ゲート５の先端が無孔フィルム１２を突いてゲート挿入孔１３の周囲に形成した隙間Ｓから有孔フィルム１１と無孔フィルム１２の間に進入し、その射出圧と温度にて無孔フィルム１２を凹室３の内面に押しつけるように膨らませながら充填される。
【００１９】
射出ゲート５から射出された合成樹脂が、ゲート挿入孔１３の周囲に形成された隙間Ｓを押し広げるようにして樹脂流れするので、確実に両フィルム間に合成樹脂が充填される。
【００２０】
本実施例では、合成樹脂をゆっくりと射出することにより、キャビティ８内（無孔フィルム１２と凹室３との間）にある空気を排気口（図示略）から押出ながら、徐々に合成樹脂を充填する。このように、合成樹脂の射出速度を抑制してキャビティ８内の空気を排気しながら充填する手法を採用すれば、合成樹脂の射出前に、有孔フィルム１１と無孔フィルム１２との間に大きな隙間がなくてもよいので、製品（樹脂）内に空気を巻き込まず、気泡の無い高品質な製品を製造できる。
【００２１】
なお、速やかな生産を行いたい場合は、合成樹脂の射出に伴って、可動型２の凹室３に設けられている吸気口（図示略）から吸気して、凹室３すなわちキャビティ８を減圧すればよい。そうすると、射出圧による無孔フィルム１２の膨れ変形がより速やかになり、両フィルム間すなわちキャビティ８内への合成樹脂の充填がより速やかになる。
【００２２】
図２に示すようにキャビティ８内へ十分な量の合成樹脂が充填されたところでゲートカットし、適宜の冷却時間を経過した後に型開して製品、すなわち合成樹脂成形品のパッケージ１５を取り出す。図３に示すように、このパッケージ１５は、キャビティ８の形状に倣った合成樹脂の成形品１６を有孔フィルム１１と無孔フィルム１２との２枚のフィルム間に収容した形態である。有孔フィルム１１及び無孔フィルム１２は合成樹脂の粘着力によって成形品１６に粘着しているから、有孔フィルム１１又は無孔フィルム１２が成形品１６から分離するのは防止される。
【００２３】
このように、有孔フィルム１１及び無孔フィルム１２を金型１にインサートし、有孔フィルム１１に設けられたゲート挿入孔１３に挿入した射出ゲート５から両フィルム間に合成樹脂を射出して、その射出圧にて無孔フィルム１２を膨れさせることにより、キャビティ８形状に倣った合成樹脂の成形品を両フィルム間に収容するので、成形と梱包を同一の工程で行うことができ、例えば大判のシートを打ち抜き、手作業ではぎ取り、梱包用のフィルム上に載せ置くといった作業は不要になる。これにより作業効率が向上できる。
【００２４】
また、製造されたパッケージ１５では、成形品１６の表面は、ゲート挿入孔１３を除けば外部に露出していない。
合成樹脂の成形品１６は、通常はパッケージ１５から取り出して使用されるが、有孔フィルム１１の内面（成形品１６との接触面）にフッ素樹脂コーティングされているので、このフッ素樹脂コーティングの面で剥離しやすく、有孔フィルム１１を成形品１６から剥がし易い。従って、成形品１６をパッケージ１５から取り出しやすい。
【００２５】
また、有孔フィルム１１を剥がし易くなっているので、まず有孔フィルム１１を剥がして成形品１６の片面を露出させ、この面を成形品１６の設置場所（例えば家具の下面）に粘着させてから無孔フィルム１２を剥がせば、成形品１６が指等に粘着しないから作業が容易である。しかも、成形品１６が指などにつかないので油成分が成形品１６につかず、粘着性能の低下原因を減らすことが可能になる。
［実施例２］
実施例１では可動型、固定型の一方（可動型２）に凹室が設けられている金型を使用したが、可動型、固定型の双方に凹室が設けられた金型を使用することもできるので、その一例を説明する。なお、実施例１と共通部分は実施例１と同符号を使用して説明を省略する。
【００２６】
図４に示すように、この実施例の金型１ａでは、固定型４にも凹室３ａが設けられている。また、射出ゲート５は、ほぼキャビティ８の中心部まで突き出されている。この金型１ａを用いると成形品１６の厚みを大きくできる。つまり、厚みが大きい成形品１６を成形する場合には、可動型２、固定型４の双方に凹室３、３ａが設けられた金型１ａを使用するとよい。このような構成であっても、射出ゲート５が相手フィルムを押すことによって、予め両フィルム間に実施例１で説明した隙間Ｓと同様に隙間を形成するので、その後の合成樹脂の充填が良好になる。
【００２７】
なお、詳細な説明は省略するが、実施例２の構成でも実施例１と同様の効果が得られる。
［その他］
実施例１、２では合成樹脂の成形品を互いの間に収容した２枚のフィルムは、成形品に粘着することで分離を防止されるが、溶着や凹凸の嵌合で相互に連結されてもよい。
【００２８】
また、実施例１、２において粘着性のゲルを成形する例を説明したように、本発明は粘着性が有る合成樹脂の成形品に適用するときわめて有用であるが、前述のようなフィルムの分離対策がなされていれば、本発明は粘着性でない合成樹脂にも適用できる。
【００２９】
なお、粘着性（タック性）の測定方法として、ＰＳＴＣ−ＳＴＣ＃６及びＡＳＴＭ  Ｄ  ３１２１に規定されているローリングボールタック法がある。上記の実施例などで「粘着性が有る」というのは、この方法での測定でおよそ１５０ｍｍ以下に相当する。
【図面の簡単な説明】
【００３０】
【図１】実施例１で金型を型締めした状態の説明図。
【図２】実施例１で合成樹脂の射出が完了した状態の説明図。
【図３】実施例１で製造されるパッケージの説明図。
【図４】実施例２で合成樹脂の射出が完了した状態の説明図。
【符号の説明】
【００３１】
１、１ａ・・・金型、
２・・・可動型、
３、３ａ・・・凹室、
４・・・固定型、
５・・・射出ゲート、
６・・・内孔、
７・・・キャビティ面、
８・・・キャビティ、
１１・・・有孔フィルム、
１２・・・無孔フィルム、
１３・・・ゲート挿入孔、
１５・・・パッケージ、
１６・・・成形品。
【図１】
0004761376.tif 000002
【図２】
0004761376.tif 000003
【図３】
0004761376.tif 000004
【図４】
0004761376.tif 000005